(57)【要約】【課題】様々な長さのカラムを容易に取り付けることができるクロマトグラフの提供。【解決手段】試料導入部側流路１６の出口端と検出器側流路１７の入口端との間にカラム３０が取り付けられるクロマトグラフ１であって、オーブン１０内には、複数の開口４２ａ〜４２ｆを有する試料導入部側仕切板４２が形成されるとともに、複数の開口４４ａ〜４４ｆを有する検出器側仕切板４４が形成され、各試料導入部側流路１６ａ〜１６ｆは試料導入部側仕切板４２の１個の開口４２ａ〜４２ｆにそれぞれ通されるとともに、各検出器側流路１７ａ〜１７ｆは検出器側仕切板４４の１個の開口４４ａ〜４４ｆにそれぞれ通されている構成とする。【選択図】図１
0003196768.tif 000002
【実用新案登録請求の範囲】
【請求項１】
試料導入部と、
検出器と、
複数の試料導入部側流路のうちの一の試料導入部側流路と前記試料導入部とを接続するための第一流路切換機構と、
複数の検出器側流路のうちの一の検出器側流路と前記検出器とを接続するための第二流路切換機構と、
複数の試料導入部側流路の出口端及び複数の検出器側流路の入口端が内部に配置されるオーブンとを備え、
前記試料導入部側流路の出口端と前記検出器側流路の入口端との間にカラムが取り付けられるようになっているクロマトグラフであって、
前記オーブン内には、複数の開口を有する試料導入部側仕切板が形成されるとともに、複数の開口を有する検出器側仕切板が形成されており、
各試料導入部側流路は前記試料導入部側仕切板の１個の開口にそれぞれ通されるとともに、各検出器側流路は前記検出器側仕切板の１個の開口にそれぞれ通されていることを特徴とするクロマトグラフ。
【請求項２】
前記オーブン内には、複数のカラムが取り付けられるようになっている保持部が形成されていることを特徴とする請求項１に記載のクロマトグラフ。
【請求項３】
前記試料導入部側仕切板は、前記保持部に網目状又は多孔状の取付板を介して取り付けられるとともに、前記検出器側仕切板は、前記保持部に網目状又は多孔状の取付板を介して取り付けられていることを特徴とする請求項２に記載のクロマトグラフ。
【考案の詳細な説明】
【技術分野】
【０００１】
本考案は、クロマトグラフに関し、さらに詳しくは複数のカラムを備えるクロマトグラフに関する。
【背景技術】
【０００２】
液体クロマトグラフでは、試料が、移動相に押されてカラムの入口端からカラム内に導入される。これにより、試料に含まれる各測定物質は、カラム内を通過する間に時間軸方向に分離されて、カラムの出口端に到達することになる。このとき、試料を所定の温度でカラム内を通過させるために、オーブンの内部にカラムを収容して、オーブン内部の温度（例えば、４５０℃までの任意の温度）を調節することができる液体クロマトグラフが用いられている。
【０００３】
また、空気中の環境汚染物質、例えば各種の揮発性有機化合物（ＶＯＣ：Ｖｏｌａｔｉｌｅ  Ｏｒｇａｎｉｃ  Ｃｏｍｐｏｕｎｄｓ）は、シックハウス問題の原因物質としてその測定技術の確立が急務とされている。近年、ＶＯＣよりもさらに沸点の高い有機化合物群である半揮発性有機化合物（ＳＶＯＣ：Ｓｅｍｉ−Ｖｏｌａｔｉｌｅ  Ｏｒｇａｎｉｃ  Ｃｏｍｐｏｕｎｄｓ）も含めて環境汚染源となり得る有機化合物は、１００種を越えると言われる。これら多種の物質を分離して定性・定量するために、第一カラムや第二カラム等の複数のカラムを備えた液体クロマトグラフが知られている。
【０００４】
ここで、図３は、従来の液体クロマトグラフの一例を示す概略構成図であり、図４は、図３に示す液体クロマトグラフの内部構造を示す側面図である。なお、地面に水平な一方向をＸ方向とし、地面に水平でＸ方向と垂直な方向をＹ方向とし、Ｘ方向とＹ方向とに垂直な方向をＺ方向とする。
液体クロマトグラフ１０１は、空気循環方式のオーブン本体１１０と、試料が導入される試料導入部２０と、検出器２１とを備える。
【０００５】
オーブン本体１１０は、直方体形状のオーブン器壁１１１と、ヒータ１２と、ファン１３と、流路切換バルブ（第一流路切換機構）１４と、マニホールド（第二流路切換機構）１５と、試料導入部側流路１６と、検出器側流路１７とを備える。
オーブン器壁１１１は、上面壁と、下面壁と、背面壁と、前面壁となる前面扉と、左側壁と、右側壁とを有する。そして、前面扉は、右端を軸として開閉可能に形成されており、分析者によって前面扉が開かれることにより、オーブン器壁１１１の内部空間が開放されるようになっている。
【０００６】
ヒータ１２とファン１３とは、背面壁内中央部に形成されており、オーブン器壁１１１の内部空間の温度を調節するようになっている。
【０００７】
また、背面壁中央部には、前方（−Ｙ方向）に所定距離（例えば数ｃｍ）で突出する保持部４１が形成されている。そして、保持部４１の前面には、第一把持機構４１ａと第二把持機構４１ｂと、・・・、第六把持機構４１ｆとが水平に所定距離（例えば数ｃｍ）を空けて一列に並ぶように形成されている。第一把持機構４１ａは、第一カラム３０ａを上下方向にして第一カラム３０ａの中央部を左右から把持するようになっている。また、同様に把持機構４１ｂ〜４１ｆは、カラム３０ｂ〜３０ｆを上下方向にしてカラム３０ｂ〜３０ｆの中央部を左右から把持するようになっている。
【０００８】
流路切換バルブ１４は、背面壁内下部に形成され、６個の分配ポートと１個の共通ポートとからなる。共通ポートには試料導入部２０が接続されている。また、第一分配ポートには第一試料導入部側流路１６ａの入口端が接続され、第二分配ポートには第二試料導入部側流路１６ｂの入口端が接続され、第三分配ポートには第三試料導入部側流路１６ｃの入口端が接続され、第四分配ポートには第四試料導入部側流路１６ｄの入口端が接続され、第五分配ポートには第五試料導入部側流路１６ｅの入口端が接続され、第六分配ポートには第六試料導入部側流路１６ｆの入口端が接続されている。そして、流路切換バルブ１４は、モータ（図示せず）により駆動され、共通ポートと１個の分配ポートとを選択的に接続するようになっている。
【０００９】
マニホールド１５は、背面壁内上部に形成され、６個の分配ポートと１個の共通ポートとからなる。共通ポートには検出器２１が接続されている。また、第一分配ポートには第一検出器側流路１７ａの出口端が接続され、第二分配ポートには第二検出器側流路１７ｂの出口端が接続され、第三分配ポートには第三検出器側流路１７ｃの出口端が接続され、第四分配ポートには第四検出器側流路１７ｄの出口端が接続され、第五分配ポートには第五検出器側流路１７ｅの出口端が接続され、第六分配ポートには第六検出器側流路１７ｆの出口端が接続されている。そして、マニホールド１５は、モータ（図示せず）により駆動され、共通ポートと１個の分配ポートとを選択的に接続するようになっている。
【００１０】
試料導入部側流路１６や検出器側流路１７は、オーブン器壁１１１の内部空間に配置されており、例えば、外径１．６ｍｍ、内径０．２５ｍｍのステンレス配管あるいはポリエーテルエーテルケトン配管が用いられる。そして、試料導入部側流路１６の出口端と検出器側流路１７の入口端との間には、様々な種類のカラム３０がユニオン等（図示せず）を用いて接続されるようになっている。
【００１１】
このようなカラム３０（３０ａ〜３０ｆ）の内部には微粒子が充填されており、試料がカラム３０内部を通過する際には、各化合物と充填剤との相互作用により、出口端から順次排出されるようになっている。
【００１２】
ここで、液体クロマトグラフ１０１にカラム３０を取り付ける取付工程について説明する。
まず、分析者は、第一カラム３０ａの入口端を下にして第一把持機構４１ａに取り付ける。次に、分析者は、第一試料導入部側流路１６ａの出口端と第一カラム３０ａの入口端とをユニオン等を用いて接続するとともに、第一検出器側流路１７ａの入口端と第一カラム３０ａの出口端とをユニオン等を用いて接続する。次に、分析者は、第二カラム３０ｂの入口端を下にして第二把持機構４１ｂに取り付ける。次に、分析者は、第二試料導入部側流路１６ｂの出口端と第二カラム３０ｂの入口端とをユニオン等を用いて接続するとともに、第二検出器側流路１７ｂの入口端と第二カラム３０ｂの出口端とをユニオン等を用いて接続する。このようにして試料導入部側流路１６ａ〜１６ｆの出口端と検出器側流路１７ａ〜１７ｆの入口端との間に、カラム３０ａ〜３０ｆをそれぞれ接続する。このとき、第一カラム３０ａの出口端と第二検出器側流路１６ｂの入口端とが誤って接続されないように、例えば、第一試料導入部側流路１６ａの外表面と第一検出器側流路１７ａの外表面とは赤色で形成し、第二試料導入部側流路１６ｂの外表面と第二検出器側流路１７ｂの外表面とは青色で形成するというように、試料導入部側流路１６と検出器側流路１７との組み合わせごとに異なる色が用いられている。
【００１３】
次に、カラム３０ａ〜３０ｆを備えた液体クロマトグラフ１０１で試料を分析する分析工程について説明する。
まず、分析者は、ヒータ１２に電力を供給してオーブン器壁１１１の内部空間に存在する空気を加熱し、ファン１３に電力を供給することによって加熱された空気を循環させて、オーブン器壁１１１の内部空間を均一の目的温度にする。次に、分析者は、流路切換バルブ１４とマニホールド１５とを駆動させて、６個のカラム３０ａ〜３０ｆのうちから第一カラム３０ａを選択する。次に、分析者は、第一試料を試料導入部２０に導入して、第一試料に第一試料導入部側流路１６ａと第一カラム３０ａと第一検出器側流路１７ａを通過させる。次に、分析者は、流路切換バルブ１４とマニホールド１５とを駆動させて、６個のカラム３０ａ〜３０ｆのうちから第二カラム３０ｂを選択する。次に、分析者は、第二試料を試料導入部２０に導入して、第二試料に第二試料導入部側流路１６ｂと第二カラム３０ｂと第二検出器側流路１７ｂを通過させる。
【００１４】
一方、図５に示すように、複数の試料導入部側流路２１６ａ〜２１６ｆが内部に形成されるとともに、複数の検出器側流路２１７ａ〜２１７ｆと複数のカラム配置部２４１ａ〜２４１ｆとが上面に形成された直方体形状の温調ブロック２１１を用いたブロックヒーティング方式のカラムオーブン２１０を備えた液体クロマトグラフも開発されている（例えば、特許文献１参照）。
【先行技術文献】
【特許文献】
【００１５】
【特許文献１】特開２０００−１１１５３６号公報
【考案の概要】
【考案が解決しようとする課題】
【００１６】
しかしながら、上述したような液体クロマトグラフ１０１では、取付工程において試料導入部側流路１６ａ〜１６ｆの出口端と検出器側流路１７ａ〜１７ｆの入口端とにカラム３０ａ〜３０ｆを接続する際に、それぞれ色分けはされているものの接続箇所が多いため分析者が接続箇所を間違えたり、第一カラム３０ａを接続する際に他の試料導入部側流路１６ｂ〜１６ｆや検出器側流路１７ｂ〜１７ｆが邪魔になったりして接続が困難となることがあった。
【００１７】
一方、図５のブロックヒーティング方式の場合では、試料導入部側流路２１６ａ〜２１６ｆや検出器側流路２１７ａ〜２１７ｆのうちの一つが詰まると、他のカラムへ繋がる全ての試料導入部側流路や検出器側流路を交換する必要が生じる。また、試料導入部側流路２１６ａ〜２１６ｆや検出器側流路２１７ａ〜２１７ｆの長さが固定されてしまうため、接続するカラムの長さの選択が制限される。
そこで、本考案は、様々な長さのカラムを容易に取り付けることができるクロマトグラフを提供することを目的とする。
【課題を解決するための手段】
【００１８】
上記課題を解決するためになされた本考案のクロマトグラフは、試料導入部と、検出器と、複数の試料導入部側流路のうちの一の試料導入部側流路と前記試料導入部とを接続するための第一流路切換機構と、複数の検出器側流路のうちの一の検出器側流路と前記検出器とを接続するための第二流路切換機構と、複数の試料導入部側流路の出口端及び複数の検出器側流路の入口端が内部に配置されるオーブンとを備え、前記試料導入部側流路の出口端と前記検出器側流路の入口端との間にカラムが取り付けられるようになっているクロマトグラフであって、前記オーブン内には、複数の開口を有する試料導入部側仕切板が形成されるとともに、複数の開口を有する検出器側仕切板が形成されており、各試料導入部側流路は前記試料導入部側仕切板の１個の開口にそれぞれ通されるとともに、各検出器側流路は前記検出器側仕切板の１個の開口にそれぞれ通されているようにしている。
【考案の効果】
【００１９】
以上のように、本考案のクロマトグラフによれば、複数に分岐した各流路が認識しやすくなり、カラムの取り付け間違いをなくすことができる。また、試料導入部側流路や検出器側流路を加工する必要がなく、長さの異なるカラムも容易に取り付けることが可能となる。さらに、空気循環方式であるため、試料導入部側流路や検出器側流路は独立していることから、詰まり等で試料導入部側流路や検出器側流路のうちのいずれかが使用不可となっても、試料導入部側流路や検出器側流路の不具合箇所のみを容易に交換することができる。
【００２０】
（その他の課題を解決するための手段及び効果）
また、本考案のクロマトグラフは、前記オーブン内には、複数のカラムが取り付けられるようになっている保持部が形成されるようにしてもよい。
【００２１】
さらに、本考案のクロマトグラフは、前記試料導入部側仕切板は、前記保持部に網目状又は多孔状の取付板を介して取り付けられるとともに、前記検出器側仕切板は、前記保持部に網目状又は多孔状の取付板を介して取り付けられているようにしてもよい。
【図面の簡単な説明】
【００２２】
【図１】本考案の一実施形態である液体クロマトグラフの一例を示す概略構成図。
【図２】図１のクロマトグラフのオーブン器壁の内部構造を示す側面図。
【図３】従来の液体クロマトグラフの一例を示す概略構成図。
【図４】図３のクロマトグラフの内部構造を示す側面図。
【図５】ブロックヒーティング方式のカラムオーブンを示す図。
【考案を実施するための形態】
【００２３】
以下、本考案の実施形態について図面を用いて説明する。なお、本考案は、以下に説明するような実施形態に限定されるものではなく、本考案の趣旨を逸脱しない範囲で種々の態様が含まれる。
【００２４】
図１は、本考案の一実施形態である液体クロマトグラフの一例を示す概略構成図であり、図２は、図１に示す液体クロマトグラフのオーブン器壁の内部構造を示す側面図である。なお、上述した液体クロマトグラフ１０１と同様のものについては、同じ符号を付している。
液体クロマトグラフ１は、空気循環方式のオーブン本体１０と、試料が導入される試料導入部２０と、検出器２１とを備える。
【００２５】
オーブン本体１０は、立方体形状のオーブン器壁１１と、ヒータ１２と、ファン１３と、流路切換バルブ（第一流路切換機構）１４と、マニホールド（第二流路切換機構）１５と、試料導入部側流路１６と、検出器側流路１７とを備える。
オーブン器壁１１は、上面壁と、下面壁と、背面壁と、前面壁となる前面扉と、左側壁と、右側壁とを有する。そして、前面扉は、右端を軸として開閉可能に形成されており、分析者によって前面扉が開かれることにより、オーブン器壁１１の内部空間が開放されるようになっている。
【００２６】
保持部４１の下面には、空気が流通可能な網目形状の取付板４３を介して平板形状の試料導入部側仕切板４２が形成されている。そして、試料導入部側仕切板４２には、Ｙ方向に貫通する円形状の第一開口４２ａと円形状の第二開口４２ｂと、・・・、円形状の第六開口４２ｆとが水平に所定距離（例えば１〜２ｃｍ）を空けて一列に並ぶように形成されている。そして、第一開口４２ａには第一試料導入部側流路１６ａが後方から前方に向かって挿通されており、同様に開口４２ｂ〜４２ｆには試料導入部側流路１６ｂ〜１６ｆが後方から前方に向かって挿通されている。
【００２７】
保持部４１の上面には、空気が流通可能な網目形状の取付板４５を介して平板形状の検出器側仕切板４４が形成されている。そして、検出器側仕切板４４には、Ｙ方向に貫通する円形状の第一開口４４ａと円形状の第二開口４４ｂと、・・・、円形状の第六開口４４ｆとが水平に所定距離（例えば１〜２ｃｍ）を空けて一列に並ぶように形成されている。そして、第一開口４４ａには第一検出器側流路１７ａが後方から前方に向かって挿通されており、同様に開口４４ｂ〜４４ｆには検出器側流路１７ｂ〜１７ｆが後方から前方に向かって挿通されている。
【００２８】
ここで、本考案の液体クロマトグラフ１にカラム３０を取り付ける取付工程について説明する。まず、分析者は、第一カラム３０ａの入口端を下にして第一把持機構４１ａに取り付ける。次に、分析者は、第一開口４２ａから出ている第一試料導入部側流路１６ａの出口端と第一カラム３０ａの入口端とをユニオン等（図示せず）を用いて接続するとともに、第一開口４４ａから出ている第一検出器側流路１７ａの入口端と第一カラム３０ａの出口端とをユニオン等を用いて接続する。次に、分析者は、第二カラム３０ｂの入口端を下にして第二把持機構４１ｂに取り付ける。次に、分析者は、第一開口４２ｂから出ている第二試料導入部側流路１６ｂの出口端と第二カラム３０ｂの入口端とをユニオン等を用いて接続するとともに、第二開口４４ｂから出ている第二検出器側流路１７ｂの入口端と第二カラム３０ｂの出口端とをユニオン等を用いて接続する。このようにして試料導入部側流路１６ａ〜１６ｆの出口端と検出器側流路１７ａ〜１７ｆの入口端との間に、カラム３０ａ〜３０ｆをそれぞれ接続する。
【００２９】
試料導入部側流路１６ａ〜１６ｆの出口端と検出器側流路１７ａ〜１７ｆの入口端との間にカラム３０ａ〜３０ｆを接続する際に、試料導入部側流路１６ａ〜１６ｆの余った部分は取付板４３の裏側に配置する。また、同様に検出器側流路１７ａ〜１７ｆの余った部分は取付板４５の裏側に配置する。このようにすれば、接続対象以外の試料導入部側流路や検出器側流路が邪魔にならない。
【００３０】
以上のように、本考案の液体クロマトグラフ１によれば、複数に分岐した各流路１６、１７が認識しやすくなり、カラム３０ａ〜３０ｆの取り付け間違いをなくすことができる。また、流路１６、１７を加工する必要がなく、長さの異なるカラム３０ａ〜３０ｆも容易に取り付けることが可能となる。さらに、空気循環方式であるため各流路１６、１７は独立しており、詰まり等によりいずれかの流路が使用不可となっても、流路の不具合箇所のみを容易に交換することができる。
【産業上の利用可能性】
【００３１】
本考案は、例えば複数のカラムを備えるクロマトグラフ等に利用することができる。
【符号の説明】
【００３２】
１：  液体クロマトグラフ
１０：  オーブン本体
１４：  流路切換バルブ（第一流路切換機構）
１５：  マニホールド（第二流路切換機構）
１６：  試料導入部側流路
１７：  検出器側流路
２０：  試料導入部
２１：  検出器
３０：  カラム
４２：  試料導入部側仕切板
４４：  検出器側仕切板
【図１】
0003196768.tif 000003
【図２】
0003196768.tif 000004
【図３】
0003196768.tif 000005
【図４】
0003196768.tif 000006
【図５】
0003196768.tif 000007